(57)【要約】      （修正有）【課題】外観品質が高く、扉板のデザインの自由度が大きく、かつ扉上部の笠木を省略しても倒れることがないトイレブースの前壁板の固定構造を提供する。【解決手段】前壁板１３は、骨材１６によって立設状態に固定され、更に上記骨材１６は床面１４内部に埋設された基礎ボルト１５に螺子部によって強固に固定される。このため、各前壁板１３、１３の上端部を相互に接続し、上記各前壁板１３、１３を支持する笠木を配設することなく、前壁板１３を強固に支持することができる。従って、扉板１２を前壁板１３よりも上方に突出するデザインをはじめ、多彩なデザインを採用することが可能であり、また人の出入に当って笠木に頭部等をぶつける虞もない。【選択図】図１
0003158572.tif 000002
【実用新案登録請求の範囲】
【請求項１】
複数の個室を備えるトイレブースの各個室の扉板間に立設される、前壁板の固定構造であって、
床面より内部に埋設した基礎ボルトと、
上記基礎ボルトに接続されると共に、上記前壁板の内部を高さ方向に貫通して立設された骨材とを備えることを特徴とするトイレブースの前壁板の固定構造。
【請求項２】
上記骨材は鋼材からなり、上記前壁板の幅方向両端部において高さ方向に沿って貫通していることを特徴とする請求項１のトイレブースの前壁板の固定構造。
【請求項３】
上記前壁板は厚さ寸法３０ｍｍ以上に形成されていることを特徴とする請求項１又は２に記載のトイレブースの前壁板の固定構造。
【請求項４】
上記前壁板は一対の表面板材と、上記表面板材間に配設された芯材とから形成されていることを特徴とする請求項１〜３いずれか１項に記載のトイレブースの前壁板の固定構造。
【考案の詳細な説明】
【技術分野】
【０００１】
本考案はトイレブースにおいて、各個室の扉板の間に配設される前壁板の固定構造に関する。
【背景技術】
【０００２】
学校等の公共施設及び大型店舗等のトイレブースは、多人数を受け入れるため、複数の個室を有している。
【０００３】
図３は従来のトイレブース４０を示す斜視図である。
図３（ａ）に示すように、各個室４１は、隣接する個室４１、４１との間に立設された仕切り板４２によって区画され、各個室４１、４１、４１の前面開口部４３、４３、４３には扉板４４、４４、４４が開閉可能に配設されている。
また、隣接する個室４１、４１の扉板４４、４４の間には、前壁板４５が立設され、上記扉板４４は上記前壁板４５の幅方向一端部に開閉可能にヒンジ固定されている。
また、図３（ｂ）に示すように上記前壁板４５の下端部４５ｂの床面４６には、上記前壁板４５を両面部外方から挟持する挟持部材４７が配置されると共に、上記前壁板４５、４５、４５の上端部４５ａ、４５ａ、４５ａには、笠木４８が各前壁板４５を幅方向に横断して配置され、上記前壁板４５が倒れないように支持している。
【０００４】
幼稚園、保育園等において幼児が使用するトイレブースにあっては、幼児の安全確保のために、幼児がトイレを使用中であっても、保育士が内部を視認できる必要がある。
このため、扉板の高さを低くして、内部を視認可能にしたトイレブースも存在するが、扉板のみを低くして前壁板を通常の高さのままとした場合には、扉板と前壁板との間に高さの統一感が無く、トイレブース全体の外観品質が低くなるという不具合を有していた。
【０００５】
また、上記図３に示す従来のトイレブース４０の構成のまま、前壁板を扉板と同一の高さまで低くした場合は、上記前壁板を幅方向に横断して配置される笠木の配置位置も低くなることから、大人が誤って頭部をぶつけてしまう虞があり危険であるという不具合を有していた。
また、笠木を配設する場合、扉板の開閉が障害とならないようにするため、扉板に自由なデザインを採用することが制約されてしまうという別の不具合をも有していた。
【０００６】
また、従来の構成において、笠木を省略した場合は、前壁板が扉板を支えきれずに倒れてしまう虞があった。
特に近年用いられている、厚さ寸法が３０ｍｍ以上の合板部材を前壁板４５として用いた場合、図３（ｂ）に示す、挟持部材４７による固定方式では十分に前壁板４５を支えきれず、前壁板４５の固定強度が確保できないという不具合を有していた。
【考案の開示】
【考案が解決しようとする課題】
【０００７】
本考案の解決課題は、上記不具合を解決し、外観品質が高いと共に、扉板のデザインの自由度が大きく、かつ笠木を省略しても倒れることがないトイレブースの前壁板の固定構造を提供することにある。
【課題を解決するための手段】
【０００８】
上記課題を解決するために、請求項１の考案に係るトイレブースの前壁板の固定構造は、複数の個室を備えるトイレブースの各個室の扉板間に立設される、前壁板の固定構造であって、床面より内部に埋設した基礎ボルトと、上記基礎ボルトに接続されると共に、上記前壁板の内部を高さ方向に貫通して立設された骨材とを備えることを特徴とする。
【０００９】
従って、前壁板は上記基礎ボルトと上記骨材によって支持される。
【００１０】
また、請求項２の考案に係るトイレブースの前壁板の固定構造は、上記骨材は鋼材からなり、上記前壁板の幅方向両端部において高さ方向に貫通して立設されていることを特徴とする。
従って、上記前壁板は、幅方向両端部において、上記骨材によって支持される。
【００１１】
また、請求項３の考案に係るトイレブースの前壁板の固定構造は、上記前壁板は厚さ寸法３０ｍｍ以上に形成されていることを特徴とする。
【００１２】
また、請求項４の考案に係るトイレブースの前壁板の固定構造は、上記前壁板は一対の表面板材と、上記表面板材間に配設された芯材とから形成されていることを特徴とする。
【考案の効果】
【００１３】
請求項１乃至４の考案にあっては、床面より内部に埋設した基礎ボルトと、上記基礎ボルトに接続されると共に、上記前壁板の内部を高さ方向に貫通して立設された骨材とを備えることから、前壁板は高さ方向に沿って、上記骨材によって強固に支持され、従来前壁板を幅方向に横断して配設されていた笠木が不要となる。
従って、外観品質が高いと共に、扉板のデザインの自由度が大きく、かつ笠木を省略しても倒れることがないトイレブースの前壁板の固定構造を提供することができる。
【００１４】
また、請求項２の考案にあっては、上記骨材は鋼材からなり、上記前壁板の幅方向両端部において高さ方向に貫通して立設されていることから、上記前壁板は幅方向両端部において強固に固定され、請求項１の効果に加え、より丈夫な前壁板の固定構造を提供することができる。
【００１５】
また、請求項３の考案にあっては、上記前壁板は厚さ寸法３０ｍｍ以上に形成され、請求項４の考案にあっては、上記前壁板は一対の表面板材と、上記表面板材間に配設された芯材とから形成されていることから、一般的に広く流通している化粧合板を使用することが可能であり、丈夫で且つ耐久性が高い前壁板の固定構想を低コストで提供することができる。
【図面の簡単な説明】
【００１６】
【図１】本考案の一実施の形態を示し、実施例の形態におけるトイレブースの各個室の配置を示す一部正面図である。
【図２】本考案の一実施の形態を示し、実施例の形態における前壁板の固定構造を示す断面図である。
【図３】（ａ）従来のトイレブースの構造を示す斜視図であり、（ｂ）は（ａ）のＡ−Ａ線における前壁板下端部の巾木部分の拡大断面図である。
【考案を実施するための最良の形態】
【００１７】
本考案を実施するための形態を、添付図面を用いて説明する。
図１に示すように、本実施例に係るトイレブース１０は、各個室１１、１１、１１の扉板１２、１２、１２間に立設される、前壁板１３、１３、１３からなり、上記前壁板１３は、図２に示すように、床面１４より内部に埋設した基礎ボルト１５と、上記基礎ボルト１５に接続されると共に、上記前壁板１３の内部を高さ方向に貫通して立設された鋼材からなる骨材１６によって固定されている。
また、上記骨材１６は、上記前壁板１３の幅方向両端部１３ａ、１３ａ近傍において、高さ方向に沿って貫通して配置されている。
また、上記前壁板１３は、厚さ寸法３０ｍｍ以上に形成されると共に、一対の表面板材１７、１７と、上記表面板材間に配設された芯材１８とから形成されている。
【実施例】
【００１８】
本実施例の実施例の構成について以下詳述する。
図１は、本実施例に係るトイレブース１０の各個室１１の配置を示す正面図である。
図１に示すように、本実施例に係るトイレブース１０は、保育園もしくは幼稚園等に設置される幼児向けのものであり、仕切り板１９、１９で仕切られた個室１１、１１が並列して配置され、各個室１１、１１の開口部２０、２０を開閉する扉板１２、１２は、前壁板１３、１３の幅方向端部１３ａ、１３ａにおいて夫々ヒンジ部材２１、２１によって開閉可能に固定されている。
【００１９】
また、図１に示すように、上記前壁板１３は、平面縦長長方形に形成され、上記前壁板１３の幅方向中央部には、高さ方向に沿って、上記仕切り板１９の一端部が、上記前壁板１３の面部に対して鉛直となるように固定されている。
また、上記前壁板１３の下端部には、ステンレス製の巾木２２が巾方向に沿って配設されている。
本実施例においては、上記前壁板１３は、高さ寸法約１１９０ｍｍに形成されている。
【００２０】
なお、本実施例においては、上記扉板１２は、平面略直方形に形成されるとともに、上端縁部が上方に向かって膨出する膨出部を有する形状に形成されているが、上記扉板１２の形状については、保育士が内部を視認しうる高さ寸法であれば、特段の制約は無く、任意のキャラクター等の形態としてもよい。
【００２１】
また、上記前壁板１３の幅方向端部１３ａ、１３ａの近傍において、骨材１６が、上記前壁板１３の内部の芯材１８を貫通して配設されている。
【００２２】
また、図２は、本実施例における、トイレブース１０の前壁板１３の固定構造を示す、上記前壁板の厚さ方向透過断面図である。
図２に示すように、上記骨材１６の下端部は、床面より内部に下端部が埋設された基礎ボルト１５の上端部に、螺子部２３によって螺合されている。
上記骨材１６は、上記前壁板１３の内部の芯材１８を貫通し、上端部が上記前壁板の上端部に形成された断面コ字形状の凹み部２４から上方に突出して配置され、ボルト２５によって、前壁板の凹み部２４に締め付け固定されている。
また、上記凹み部２４は嵌合部材２６によって被覆されている。
【００２３】
本実施例の作用について説明する。
図１に示すように、本実施例においては、前壁板１３は、上記骨材１６によって立設状態に固定され、更に上記骨材１６は床面１４内部に埋設された基礎ボルトに螺子部２３によって強固に固定されている。
このため、従来のように各前壁板１３、１３の上端部を相互に接続し、上記各前壁板１３、１３を支持する笠木を配設することなく、前壁板１３を強固に支持することができる。
従って、図１に示すように、扉板１２を前壁板１３よりも上方に突出するデザインをはじめ、多彩なデザインを採用することが可能であり、また保育士が笠木に頭部等をぶつける虞もない。
更に、支持強度が大きいことから、前壁板１３に肉厚３０ｍｍ以上の合板の化粧板等を採用することが可能となり、前壁板１３の耐久性、耐水性を向上させると共に低コスト化が可能となる。
【００２４】
なお、本実施例においては、前壁板の表面板材にはポリエステル樹脂化粧合板、高圧メラミン樹脂化粧合板等が使用され、芯材には紙製の所謂ペーパーコアが使用されているが、本考案の前壁板の固定構造は、骨材を配置しうる厚さ寸法を有するものであれば、いかなる種類の板材を採用することが可能である。
また、本実施例においては、前壁板の高さ寸法は、幼児用のトイレブースを前提として寸法としているが、本考案に係る前壁板の固定構造は、前壁板の高さ寸法とは関係なく採用することが可能である。
【産業上の利用可能性】
【００２５】
本考案は、トイレブースにおいて、各個室の扉板の間に配設される前壁板の固定構造に適用することが可能である。
【符号の説明】
【００２６】
１０  トイレブース
１１  個室
１２  扉板
１３  前壁板
１３ａ前壁板の幅方向端部
１４  床面
１５  基礎ボルト
１６  骨材
１７  前壁板の表面板材
１８  芯材
１９  仕切り板
２０  個室の開口部
２１  ヒンジ部材
２２  巾木
２３  螺合部
２４  前壁板の凹み部
２５  ボルト
２６  嵌合部材
４０  トイレブース
４１  個室
４２  仕切り板
４３  開口部
４４  扉板
４５  前壁板
４５ａ前壁板上端部
４５ｂ前壁板下端部
４５ｃ前壁板幅方向端部
４６  床面
４７  挟持部材
４８  笠木
【図１】
0003158572.tif 000003
【図２】
0003158572.tif 000004
【図３】
0003158572.tif 000005